(57)【要約】【課題】本発明は浄水装置に関し、濾過膜ユニットによる浄化と生物活性炭本来の吸着能、および生物活性炭内によるバクテリヤによる生物分解効能と、また、ハニカム構造体による生物接触酸化機能とを効率的に、かつ高度に発揮させて水の浄化作用に優れ、生物活性炭の浸漬槽に対する充填、抜き取りにおける簡易性が良好でメンテナンスを優れる。【解決手段】原水Ｗ１が導入される浸漬槽１と、原水Ｗに浸漬される濾過膜ユニット２と、浸漬槽の下底部１ａ近くに設けられた曝気管３と、を備え、浸漬槽内で粒状乃至は粉状の生物活性炭４を原水Ｗ１とともに曝気させ、濾過膜ユニットの外周に外形が筒形のハニカム構造体５を設け、生物活性炭４が詰め込まれたメッシュよりなる袋６をハニカム構造体の上下方向に連通されたセル７,７・・・内に着脱可能に挿入し、取付ける。【選択図】図１
2010005553.tif 000002
【特許請求の範囲】
【請求項１】
原水が導入される浸漬槽と、該浸漬槽内に設けられて前記原水に浸漬される濾過膜ユニットと、前記濾過膜ユニットの下方において前記浸漬槽の下底部近くに設けられた曝気管と、を備え、前記浸漬槽内で粒状乃至は粉状の生物活性炭を原水とともに曝気させて水を浄化させる浄水装置において、  
前記浸漬槽の略中央に前記濾過膜ユニットが設置され、前記濾過膜ユニットの外周には外形が筒形のハニカム構造体が設けられ、前記生物活性炭が詰め込まれたメッシュよりなる袋が前記ハニカム構造体の上下方向に連通されたセル内に着脱可能に挿入され、取付けられていることを特徴とする浄水装置。
【請求項２】
前記袋が、正面縦長に形成され、前記袋は縦長さの略中間に位置する折り曲げ部にて２つ折り可能に設けられ、該折り曲げ部は前記浸漬槽の上縁部間に架設された吊杆に係止部が係脱可能に設けられたハンガーを介して前記袋が２つ折り状態に吊り下げられ、２つ折りされた前記袋の二股部の一方は相互に隣接された前記セルの１つに内挿され、２つ折りされた前記袋の二股部の他方は相互に隣接された前記セルの他の１つに内挿されることを特徴とする請求項１に記載の浄水装置。
【請求項３】
前記浸漬槽内には、前記濾過膜ユニットに付着される汚れを除去可能に、合成樹脂製のペレットが投入されたことを特徴とする請求項１または２の何れかに記載の浄水装置。
【発明の詳細な説明】
【技術分野】
【０００１】
本発明は浄水装置に関し、濾過膜ユニットによる浄化と生物活性炭本来の吸着能、および生物活性炭内によるバクテリヤによる生物分解効能と、また、ハニカム構造体による生物接触酸化機能とを効率的に、かつ高度に発揮させて水の浄化作用に優れ、生物活性炭の浸漬槽に対する充填、抜き取りにおける簡易性が良好でメンテナンスを優れたものにするものである。
【背景技術】
【０００２】
従来、原水が導入される浸漬槽内に前記原水に浸漬される濾過膜ユニットが設けられ、該濾過膜ユニットの下方において前記浸漬槽の前記下底部近くに設けられた曝気管により曝気を行うことにより、前記浸漬槽内で粒状乃至は粉状の生物活性炭を原水とともに曝気回流させて水を浄化させるという浄水装置が知られている。この浄水装置による浄水では、クリプトスポジウムのような耐塩素性病原生物も除去でき、また、トリハロメタン前駆物質、色度、アンモニア性窒素、陰イオン界面活性剤、臭気物質等の除去も可能である（例えば、特許文献１参照。）。
【特許文献１】特開平１０−３２３６８３号公報
【発明の開示】
【発明が解決しようとする課題】
【０００３】
しかしながら、特許文献１に記載の上記従来の浄水装置では、浸漬槽内に生ずる曝気回流の停滞部に堆積された生物活性炭は、吸着性能や有機物低減性能を発揮するという役割を果たしてはいない。このように、浸漬槽内での曝気回流の停滞部における生物活性炭による吸着性能や有機物低減性能の役割低減を回避するためには、例えば浸漬槽の周囲に、活性炭の沈降防止用の撹拌用散気管を設置することが必要になり、しかも、前記撹拌用散気管に空気を供給するための空気源を必要としていた。
【０００４】
また、特許文献１に記載の上記従来の浄水装置では、浸漬槽内の原水に浸漬される濾過膜ユニットを定期的に洗浄するのには、例えば薬液として有効塩素濃度が１０〜１２％の次亜塩素酸ナトリウム溶液を用いて浸漬槽内を薬液洗浄しなければならないので、生物活性炭の有機物低減性能が低下するという問題があった。そして、この生物活性炭の有機物低減性能の低下を防止するためには、生物活性炭を浸漬槽とは個別の槽内に移送して貯留し、浸漬槽内を前記薬液により薬液洗浄した後に、再び生物活性炭を浸漬槽内に移送し、元に戻すという多大な作業と、時間を必要としていた。
【０００５】
しかも、浸漬槽内の曝気回流の停滞部に堆積された生物活性炭を全量移送するためには、限度があり、薬害を受けた生物活性炭の性能回復期間、有機物低減性能に影響を及ぼすことにもなる。
【０００６】
本発明は上記従来の欠点を解決するためになされたものであり、濾過膜ユニットによる浄化と生物活性炭本来の吸着能、および生物活性炭内によるバクテリヤによる生物分解効能と、また、ハニカム構造体による生物接触酸化機能とを効率的に、かつ高度に発揮させて水の浄化作用を優れたものにし、生物活性炭の浸漬槽に対する充填、抜き取りにおける簡易性が良好であり、メンテナンス性が優れた浄水装置を提供することを目的とする。
【課題を解決するための手段】
【０００７】
本発明は上記課題に鑑みなされ、請求項１に記載の発明は、
原水が導入される浸漬槽と、該浸漬槽内に設けられて前記原水に浸漬される濾過膜ユニットと、前記濾過膜ユニットの下方において前記浸漬槽の下底部近くに設けられた曝気管と、を備え、前記浸漬槽内で粒状乃至は粉状の生物活性炭を原水とともに曝気させて水を浄化させる浄水装置において、  
前記浸漬槽の略中央に前記濾過膜ユニットが設置され、前記濾過膜ユニットの外周には外形が筒形のハニカム構造体が設けられ、前記生物活性炭が詰め込まれたメッシュよりなる袋が前記ハニカム構造体の上下方向に連通されたセル内に着脱可能に挿入され、取付けられていることを特徴とする。
【０００８】
また、本発明の請求項２に記載の発明は、請求項１において、前記袋が、正面縦長に形成され、前記袋は縦長さの略中間に位置する折り曲げ部にて２つ折り可能に設けられ、該折り曲げ部は前記浸漬槽の上縁部間に架設された吊杆に係止部が係脱可能に設けられたハンガーを介して前記袋が２つ折り状態に吊り下げられ、２つ折りされた前記袋の二股部の一方は相互に隣接された前記セルの１つに内挿され、２つ折りされた前記袋の二股部の他方は相互に隣接された前記セルの他の１つに内挿されることを特徴とする。
【０００９】
また、本発明の請求項３に記載の発明は、請求項１または２の何れかにおいて、前記浸漬槽内には、前記濾過膜ユニットに付着される汚れを除去可能に、合成樹脂製のペレットが投入されたことを特徴とする。
【発明の効果】
【００１０】
本発明の請求項１に記載の発明によれば、原水が導入される浸漬槽と、該浸漬槽内に設けられて前記原水に浸漬される濾過膜ユニットと、前記濾過膜ユニットの下方において前記浸漬槽の下底部近くに設けられた曝気管と、を備え、前記浸漬槽内で粒状乃至は粉状の生物活性炭を原水とともに曝気させて水を浄化させる浄水装置において、前記浸漬槽の略中央に前記濾過膜ユニットが設置され、前記濾過膜ユニットの外周には外形が筒形のハニカム構造体が設けられ、前記生物活性炭が詰め込まれたメッシュよりなる袋が前記ハニカム構造体の上下方向に連通されたセル内に着脱可能に挿入され、取付けられているので、曝気管からの曝気により浸漬槽内の下底部に生じた曝気回流は濾過膜ユニットの膜エレメント間の間隙を上昇した後、下降流に転ずる。そして、この下降流は、濾過膜ユニットの外周に設けられた外形が筒形のハニカム構造体の上下方向に連通されたセル内を通過する。このハニカム構造体に設けられたセル内には、粒状または粉状の生物活性炭が詰め込まれたメッシュよりなる袋が着脱可能に挿入し、取付けられているので、溶存酸素を含んだ回流が生物活性炭と接触し、生物活性炭本来の吸着能と、また生物活性炭への吸着による有機物低減能とが発揮される。そして、ハニカム構造体のハニカム状のセルが縦環流を促し、酸素供給も活発化されるので、バクテリヤのような好気性微生物は活性化され、有機物を分解するという生物分解効能が発揮されるので、補助的には生物接触酸化機能がを効率的に促進され、水の浄化は高高度に行われる。このため、特許文献１に記載の従来の水浄化装置のように、浸漬槽内での曝気回流の停滞部における生物活性炭による吸着性能や有機物低減性能の役割低減を回避するのに、例えば浸漬槽の周囲に、活性炭の沈降防止用の撹拌用散気管を設置したり、前記撹拌用散気管に空気を供給するための空気源を必要としなくても済む。また、生物活性炭は、メッシュよりなる袋を前記ハニカム構造体の上下方向に連通されたセル内に着脱可能に挿入し、取付けられているので、特許文献１に記載の上記従来の浄水装置のように、浸漬槽内の原水に浸漬される濾過膜ユニットを定期的に洗浄するのに、例えば薬液として有効塩素濃度が１０〜１２％の次亜塩素酸ナトリウム溶液を用いて浸漬槽内を薬液洗浄する場合に、生物活性炭の有機物低減性能が低下するという問題を生じたり、しかも、この生物活性炭の有機物低減性能の低下を防止するのに、生物活性炭を浸漬槽とは個別の槽内に移送して貯留し、浸漬槽内を前記薬液により薬液洗浄した後に、再び生物活性炭を浸漬槽内に移送し、元に戻すという多大な作業と、時間を必要とするのとは異なり、生物活性炭の浸漬槽に対する充填、抜き取りが簡単に行え、メンテナンス性が優れる。
【００１１】
また、本発明の請求項２に記載の発明によれば、前記袋が、正面縦長に形成され、前記袋は縦長さの略中間に位置する折り曲げ部にて２つ折り可能に設けられ、該折り曲げ部は前記浸漬槽の上縁部間に架設された吊杆に係止部が係脱可能に設けられたハンガーを介して前記袋が２つ折り状態に吊り下げられ、２つ折りされた前記袋の二股部の一方は相互に隣接された前記セルの１つに内挿され、２つ折りされた前記袋の二股部の他方は相互に隣接された前記セルの他の１つに内挿されるので、濾過膜ユニットの外周に設ける外形が筒形のハニカム構造体の上下方向に連通されたセル内に生物活性炭が詰め込まれたメッシュよりなる袋を簡単かつ確実に着脱可能に挿入し、取付けることができる。このため、特許文献１に記載の従来の水浄化装置のように、浸漬槽内での曝気回流の停滞部における生物活性炭による吸着性能や有機物低減性能の役割低減を回避するのに、例えば浸漬槽の周囲に、活性炭の沈降防止用の撹拌用散気管を設置したり、前記撹拌用散気管に空気を供給するための空気源を必要としなくても済む。また、生物活性炭は、メッシュよりなる袋を前記ハニカム構造体の上下方向に連通されたセル内に着脱可能に挿入し、取付けられているので、特許文献１に記載の上記従来の浄水装置のように、浸漬槽内の原水に浸漬される濾過膜ユニットを定期的に洗浄するのに、例えば薬液として有効塩素濃度が１０〜１２％の次亜塩素酸ナトリウム溶液を用いて浸漬槽内を薬液洗浄する場合に、生物活性炭の有機物低減性能が低下するという問題を生じたり、しかも、この生物活性炭の有機物低減性能の低下を防止するのに、生物活性炭を浸漬槽とは個別の槽内に移送して貯留し、浸漬槽内を前記薬液により薬液洗浄した後に、再び生物活性炭を浸漬槽内に移送し、元に戻すという多大な作業と、時間を必要とするのとは異なり、メンテナンス性は優れる。
【００１２】
また、本発明の請求項３に記載の発明によれば、前記浸漬槽内には、前記濾過膜ユニットに付着される汚れを除去可能に、合成樹脂製のペレットが投入されているので、浸漬槽内の下底部に設けた曝気管からの曝気により生ずる曝気回流に伴って合成樹脂製のペレットが流されるため、このペレットにより濾過膜ユニットに付着される汚れは除去される。
【発明を実施するための最良の形態】
【００１３】
以下、図面に従って本発明の実施の最良の形態により、本発明の詳細を説明する。
【００１４】
図１は本発明の浄水装置の実施形態を示す断面図、図２は同じく本実施形態の浄水装置を構成するハニカム構造体のセル内に、生物活性炭を詰め込んだ袋を２つ折りしてその二股部を挿入し、吊り下げた状態の説明的な拡大断面図、図３は同じく拡大平面図である。
【００１５】
本発明の実施形態は、原水Ｗ１が導入される浸漬槽１と、該浸漬槽１内に設けられて前記原水Ｗ１に浸漬される濾過膜ユニット２と、前記濾過膜ユニット２の下方において前記浸漬槽１の下底部１ａ近くに設けられた曝気管３と、を備え、前記浸漬槽１内で粒状乃至は粉状の生物活性炭４を原水Ｗ１とともに曝気させて水を浄化させる浄水装置における点は、例えば特許文献１に記載の従来の浄水装置と同様の構成、作用である。
【００１６】
しかしながら、本実施形態１の浄水装置では、前記浸漬槽１の略中央に前記濾過膜ユニット２が設置され、前記濾過膜ユニット１の外周には外形が筒形のハニカム構造体４が設けられ、前記生物活性炭４が詰め込まれたメッシュよりなる袋６が前記ハニカム構造体５の上下方向に連通されたセル７,７・・・内に着脱可能に挿入され、取付けられている。
【００１７】
前記浸漬槽１は、本実施形態では、図１に示すように、その下部が、約６０度の角度の断面逆台形に形成される。そして、浸漬槽１は、その下部が、約６０度の角度の断面逆台形に形成されたことにより、曝気回流が均等な対流に促され、後記ペレット１０が浸漬槽１の片隅に偏って沈降、停滞を起こさないようにしている。
【００１８】
前記原水Ｗ１としては、例えば河川水、湖沼水、池水、地下水等が挙げられる。
【００１９】
濾過膜ユニット２に用いられる膜エレメントとしては、例えば精密濾過膜（ＭＦ平膜）が使用される。この精密濾過膜は、孔径が最大でも０．２ミクロンを有し、原水Ｗ１中の懸質や大きさが５ミクロン程度のクリプトスポリジュム（病原性原生物）のような細菌を除去するようになっている。
【００２０】
前記生物活性炭４は、本実施形態では粒状の生物活性炭が用いられ、内面に無数の細かい孔が形成され、１ｇ当たりに約１,０００ｍ2の内部表面積を有することにより、トリハロメタン前駆物質をはじめとする有機物やアンモニア性窒素を除去、低減する。
【００２１】
前記袋６が、本実施形態では、正面縦長に形成され、前記袋６は縦長さＬ１の略中間に位置する折り曲げ部６ａにて２つ折り可能に設けられ、該折り曲げ部６ａは前記浸漬槽１の上縁部１ｂ間に架設された吊杆８に係止部９ａが係脱可能に設けられた固着手段としてのハンガー９を介して前記袋６が２つ折り状態に吊り下げられ、２つ折りされた前記袋６の二股部６ａ,６ｂの一方は相互に隣接された前記セル７の１つに内挿され、２つ折りされた前記袋６の二股部６ａ,６ｂの他方は相互に隣接された前記セル７の他の１つに内挿される。この袋６の縦長さＬ１、前記袋６の二股部６ａ,６ｂの直径φは前記セル７の長さＬ′１、内径φ′に応じて増減変更は、自由に行える。また、袋６を形成するメッシュの大きさは、袋６内に詰め込む粒状の生物活性炭４の粒度の大きさに応じて適当の大きさのものが選定される。セル７,７・・・が隣接する方向は、図３において縦横の方向を意味し、図３において袋６は横方向に隣接されるセル７,７・・・内に二股部６ａ,６ｂの一方が内挿され、２つ折りされた前記袋６の二股部６ａ,６ｂの他方は相互に横方向に隣接された他のセル７の１つに内挿された状態が示されているが、図示するものに限らず、縦方向に隣接されるセル７,７・・・内に袋６の二股部６ａ,６ｂの一方が内挿され、２つ折りされた前記袋６の二股部６ａ,６ｂの他方は相互に縦方向に隣接された他のセル７の１つに内挿されてもよい。
【００２２】
前記浸漬槽１内には、前記濾過膜ユニット２に付着される汚れを除去可能に、合成樹脂製のペレット１０が投入されている。この合成樹脂製のペレット１０としては、本実施形態では、例えば、比重１．０５、粒度３ｍｍのポリスチレンペレットが使用されるが、このペレット１０は浸漬槽１における原水Ｗ１の収容量の約１％を投入量としている。このように、合成樹脂製のペレット１０を浸漬槽１内に投入するのは、浸漬槽１内の下底部１ａに設けた曝気管３からの曝気により生ずる曝気回流に伴って合成樹脂製のペレット１０が浸漬槽１内を流されることにより、このペレット１０が濾過膜ユニット２に接触されることにより濾過膜ユニット２に付着されている汚れを除去するためである。
【００２３】
図において、Ｐ１は原水Ｗ１を浸漬槽１内に導入するための原水ポンプである。Ｐ２は浄化処理された処理水Ｗ２を浸漬槽１外に排出するための処理水ポンプである。Ｐ３は前記曝気管３に空気を移送するための曝気ブロアである。
【００２４】
本発明の浄水装置の実施形態は以上の構成からなり、河川水、湖沼水、池水、地下水等の原水Ｗ１が導入される浸漬槽１と、該浸漬槽１内に平面略中央に設けられて前記原水Ｗ１に浸漬される濾過膜ユニット２と、前記濾過膜ユニット２の下方において前記浸漬槽１の下底部１ａ近くに設けられた曝気管３と、を備え、前記浸漬槽１内で粒状の生物活性炭４を原水Ｗ１とともに曝気させて水を浄化させる点は、例えば特許文献１に記載の従来の浄水装置と同様の構成、作用である。
【００２５】
この際、本実施形態では、濾過膜ユニット２に用いられる膜エレメントとしては、孔径が最大でも０．２ミクロンを有する例えば精密濾過膜（ＭＦ平膜）が使用されているので、原水Ｗ１中の懸質や大きさが５ミクロン程度のクリプトスポリジュム（病原性原生物）のような細菌は除去される。
【００２６】
しかしながら、本実施形態の浄水装置では、浸漬槽１の中心に配置された前記濾過膜ユニット２の外周に外形が筒形のハニカム構造体５が設けられ、前記生物活性炭４が詰め込まれたメッシュよりなる袋６が前記ハニカム構造体５の上下方向に連通されたセル７,７・・・内に、挿入され、固着手段としてのハンガー９を用いて着脱可能に吊杆８に取付けられているので、曝気管３からの曝気により浸漬槽１内の下底部１ａに生じた曝気回流は濾過膜ユニット２の膜エレメント間の間隙を上昇流Ｗ３となって上昇した後、下降流Ｗ４に転ずる。
【００２７】
次いで、この下降流Ｗ４は、濾過膜ユニット２の外周に設けられた外形が筒形のハニカム構造体５の上下方向に連通されたセル７内を早い流速にて勢い良く降下し、通過して行く。このハニカム構造体５に設けられたセル７内には、本実施形態では粒状、例えば１ｇ中に１,０００ｍ2の内部表面積を有する生物活性炭４が詰め込まれたメッシュよりなる袋６が着脱可能に挿入されて取付けられているので、溶存酸素を含んだ回流が生物活性炭４と接触するため、生物活性炭４本来の吸着能と、また生物活性炭４への吸着による有機物低減能とが発揮される。
【００２８】
そして、本実施形態では粒状の生物活性炭４は、内面に無数の細かい孔が形成され、１ｇ当たりに約１,０００ｍ2の内部表面積を有するので、トリハロメタン前駆物質をはじめとする有機物やアンモニア性窒素はこの細かい孔内に吸着され、除去、低減される。
【００２９】
この際、ハニカム構造体５のハニカム状のセル７が縦環流を促し、縦環流における酸素供給が活発化されるので、バクテリヤのような好気性微生物は活性化され、有機物を分解するという生物分解効能が発揮され、しかも、補助的には生物接触酸化機能が効率的に促進されるので、水の浄化は高高度に行われる。
【００３０】
このため、特許文献１に記載の従来の水浄化装置では、浸漬槽内での曝気回流の停滞部における生物活性炭による吸着性能や有機物低減性能の役割低減を回避するのに、例えば浸漬槽の周囲に、生物活性炭の沈降防止用の撹拌用散気管を設置したり、前記撹拌用散気管に空気を供給するための空気源等の設備を必要とするのとは異なり、本実施形態ではこれらの設備を使用しなくても済み、構造が簡単になり、製作、および組み立ては安価になる。また、ハニカム構造体５自体、構造堅牢な仕上がりに形成される。
【００３１】
また、生物活性炭４は、メッシュよりなる袋６を前記ハニカム構造体５の上下方向に連通されたセル７内に着脱可能に挿入し、取付けられている。
【００３２】
すなわち、図には示さないが正面縦長に形成されている袋６は、縦長さＬ１の略中間に位置する折り曲げ部６ａにて図１、および図２に示すように、２つ折りされ、この折り曲げ部６ａは前記浸漬槽１の上縁部１ｂ間に架設されている吊杆８に係止部９ａが係脱可能に設けられたハンガー９を介して前記袋６が２つ折り状態に吊り下げられる。そして、２つ折りされた前記袋６の二股部６ａ,６ｂの一方は相互に縦横に隣接されるハニカム構造体５のセル７の１つに内挿され、２つ折りされた前記袋６の二股部６ａ,６ｂの他方は相互に縦横に隣接された前記セル７の他の１つに内挿されているので、浸漬槽１内の原水Ｗ１に浸漬される濾過膜ユニット２を、例えば薬液として有効塩素濃度が１０〜１２％の次亜塩素酸ナトリウム溶液を用いて定期的に洗浄する場合に、粒状活性炭４が詰め込まれている２つ折りされた前記袋６をハンガー９毎ハニカム構造体５のセル７,７内から濾過膜ユニット２の洗浄が済むまでの間、浸漬槽１の外部へ引き揚げておけば、特許文献１に記載の上記従来の浄水装置のように、生物活性炭の有機物低減性能が低下するという問題を生じたり、または、この生物活性炭の有機物低減性能の低下を防止するのに、生物活性炭を浸漬槽とは個別の槽（図には示さない）内に移送して貯留し、浸漬槽内を前記薬液により洗浄した後に、再び浸漬槽内に戻すという大がかりで多大な作業と、時間を必要とするのとは異なり、本実施形態では、２つ折りされた前記袋６の二股部６ａ,６ｂの一方を相互に縦横に隣接されるハニカム構造体５のセル７の１つに内挿し、かつ２つ折りした前記袋６の二股部６ａ,６ｂの他方を相互に縦横に隣接した前記セル７の他の１つに内挿させるという簡単な取り扱いにより、生物活性炭４を浸漬槽１内に移送し、元に戻すことで多大な労力を必要とすることなく、短時間にて生物活性炭４の浸漬槽１に対する充填、抜き取りが簡単に行え、メンテナンス性が優れる。また、生物活性炭４は袋６に詰め込まれたまま浸漬槽１の外部に取り出されて薬害の影響を受けないので、生物活性炭４の性能回復と、有機物低減性能とは損なわれない。
【００３３】
前記浸漬槽１は、本実施形態では、図１に示すように、その下部が、約６０度の角度の急角度の断面逆台形に形成されたことにより、浸漬槽１内の下底部１ａに設けた曝気管３からの曝気により生ずる曝気回流が浸漬槽１内において周囲からの制圧を受けながら浸漬槽１内の中心付近を均等に流れるので、この曝気回流に伴って合成樹脂製のペレット１０は、浸漬槽１の片隅に偏って沈降し、停滞を起こすことなく、下底部１ａの内斜面に案内されて速やかに流れるため、このペレット１０が濾過膜ユニット２に付着される汚れに接触することにより汚れを効率的にかつ確実に除去することができる。
【００３４】
上記実施形態では、粒状または粉状の生物活性炭４が詰め込まれた袋６を２つ折りしてその略中間の折曲げ部６ｃをハンガー９を用いて吊杆８に吊り下げ、袋６の二股部６ａ,６ｂをハニカム構造体５のセル７,７内に挿入するようにして着脱自在に取り付けているが、ハニカム構造体５のセル７,７内に挿入する袋６は必ずしも２つ折りされずに、セル７,７内に挿入しても良い。また、袋６内に詰め込まれる生物活性炭４としては、粒状のものが使用しているが、これは例示であって限定されるものではなく、粉状の生物活性炭４を使用した場合には、粒状の生物活性炭４よりも内部に形成される無数の細かい孔よりなる内部表面積が増大されるので、生物活性炭４本来の吸着能、および生物活性炭４内によるバクテリヤによる生物分解効能の何れもが増大することも本発明の範囲である。さらに、図３ではハニカム構造体５のセル７は、平面六角形のセル７が代表的に説明されているが、このセル７の平面形状は六角形に限らず、平面八角形、平面五角形、平面三角形の多角形のほか、平面円形であっても本発明の適用範囲である。
【産業上の利用可能性】
【００３５】
本発明は、濾過膜ユニットによる浄化と生物活性炭本来の吸着能、および生物活性炭内によるバクテリヤによる生物分解効能と、また、ハニカム構造体による生物接触酸化機能とを効率的に、かつ高度に発揮させて水の浄化作用を優れたものにし、生物活性炭の浸漬槽に対する充填、抜き取りにおける簡易性が良好であり、メンテナンス性が優れる用途・機能に適する。
【図面の簡単な説明】
【００３６】
【図１】図１は本発明の浄水装置の実施形態を示す断面図である。
【図２】図２は同じく本実施形態の浄水装置を構成するハニカム構造体のセル内に、生物活性炭を詰め込んだ袋を２つ折りしてその二股部を挿入し、吊り下げた状態の説明的な拡大断面図である。
【図３】図３は同じく拡大平面図である。
【符号の説明】
【００３７】
１      浸漬槽
２      濾過膜ユニット
３      曝気管
４      生物活性炭
５      ハニカム構造体
６      袋
７      セル
８      吊杆
９      ハンガー
１０    ペレット
Ｗ１    原水
Ｗ２    処理水
【図１】
2010005553.tif 000003
【図２】
2010005553.tif 000004
【図３】
2010005553.tif 000005